(57)【要約】  【課題】  半導体レーザーを保持したレーザーホルダのベース部材への取付け構造に関し、コスト低減と共に作業効率の向上が可能な取付け構造を提供する。  【解決手段】  レーザーホルダ２を支持する金属板より成る支持部材５を備える。支持部材５は、半導体レーザー１からの光を通過させるレーザー通過穴６ａが中央に形成された基板部６と、基板部６の上下各縁から互いに対向するように突出し、ホルダ２を上下方向の軸を中心に揺動可能に支持する上突片部７、下突片部８と、基板部６の上縁から上突片部７とは反対側に突出した後、下向き且つ内向きに折り曲げられた弾性変形可能な折曲片部９と、を一体に有する。基板部６がベース部材３の板状取付け部４に沿って下突片部８より挿し込まれて、板状取付け部４が折曲片部９の弾性復元力によって基板部６との間で挟み込まれた状態となり、光軸調整後ホルダ２と支持部材５とベース部材３とが互いに接着固定される。【選択図】      図３
2006236542.tif 000002
【特許請求の範囲】
【請求項１】
光ピックアップ装置における半導体レーザーを保持したレーザーホルダのベース部材へ
の取付け構造であって、
前記レーザーホルダ及び前記ベース部材が金属製で、
前記レーザーホルダを支持する金属板より成る支持部材と、金属板より成る弾性変形可
能な断面コ字状のクリップ片と、を備え、
前記支持部材は、前記半導体レーザーからのレーザー光を通過させるためのレーザー通
過穴が中央に形成された基板部と、前記基板部の上下各縁から互いに対向するように突出
し、前記レーザーホルダを上下方向の軸を中心に揺動可能に支持する上突片部及び下突片
部と、を一体に有しており、
前記基板部が前記ベース部材の板状取付け部に重ね合わされた後、前記クリップ片が前
記基板部及び前記板状取付け部の上縁から前記上突片部を跨ぐ左右両側のうちの一側に挿
し込まれて、前記基板部及び前記板状取付け部が前記クリップ片の弾性復元力によって挟
み込まれた状態となり、前記クリップ片と前記板状取付け部とが互いに紫外線硬化性の接
着剤によって固定され、前記半導体レーザーの光軸調整後、前記レーザーホルダと、前記
支持部材と、前記ベース部材とが互いに紫外線硬化性の接着剤によって固定されるレーザ
ーホルダのベース部材への取付け構造において、
前記クリップ片を排除するとともに、
前記支持部材は、前記基板部と、前記上突片部及び下突片部と、前記基板部の上縁から
前記上突片部を跨ぐ左右両側で前記上突片部の突出した側とは反対側に突出した後、下向
き且つ前記基板部へ向けての内向きに折り曲げられ、更にその先端部分が外向きに折り曲
げられた弾性変形可能な折曲片部と、を一体に有しており、
前記基板部が前記板状取付け部に沿って前記下突片部より挿し込まれて、前記板状取付
け部が前記折曲片部と前記基板部との間で前記折曲片部の弾性復元力によって挟み込まれ
た状態となり、前記半導体レーザーの光軸調整後、前記レーザーホルダと、前記支持部材
と、前記ベース部材とが互いに紫外線硬化性の接着剤によって固定されることを特徴とす
るレーザーホルダのベース部材への取付け構造。
【請求項２】
光ピックアップ装置における半導体レーザーを保持したレーザーホルダのベース部材へ
の取付け構造において、
前記レーザーホルダを支持する金属板より成る支持部材を備え、
前記支持部材は、前記半導体レーザーからのレーザー光を通過させるためのレーザー通
過穴が中央に形成された基板部と、前記基板部の上下各縁から互いに対向するように突出
し、前記レーザーホルダを上下方向の軸を中心に揺動可能に支持する上突片部及び下突片
部と、前記基板部の上縁から前記上突片部の突出した側とは反対側に突出した後、下向き
且つ前記基板部へ向けての内向きに折り曲げられた弾性変形可能な折曲片部と、を一体に
有しており、
前記基板部が前記ベース部材の板状取付け部に沿って前記下突片部より挿し込まれて、
前記板状取付け部が前記折曲片部と前記基板部との間で前記折曲片部の弾性復元力によっ
て挟み込まれた状態となり、前記半導体レーザーの光軸調整後、前記レーザーホルダと、
前記支持部材と、前記ベース部材とが互いに接着剤によって固定されることを特徴とする
レーザーホルダのベース部材への取付け構造。
【請求項３】
前記折曲片部が前記上突片部を跨ぐ左右両側に形成されていることを特徴とする請求項
２に記載のレーザーホルダのベース部材への取付け構造。
【請求項４】
更に前記折曲片部の先端部分が外向きに折り曲げられていることを特徴とする請求項２
又は３に記載のレーザーホルダのベース部材への取付け構造。
【請求項５】
前記接着剤が紫外線硬化性の接着剤であることを特徴とする請求項２から４のいずれか
に記載のレーザーホルダのベース部材への取付け構造。
【請求項６】
前記レーザーホルダ及び前記ベース部材が金属製であることを特徴とする請求項２から
５のいずれかに記載のレーザーホルダのベース部材への取付け構造。
【発明の詳細な説明】
【技術分野】
【０００１】
本発明は、情報記録媒体であるＣＤやＤＶＤ等の光ディスクに対して情報の再生や記録
を行うための光ピックアップ装置における接着構造に関し、特に、半導体レーザーを保持
したレーザーホルダのベース部材への取付け構造に関する。
【背景技術】
【０００２】
一般に、光ピックアップ装置では、回転する光ディスクの径方向に往復移動する光ヘッ
ドを備えている。この光ヘッドは、大きくは、レーザー光を出射する光源としての半導体
レーザー、半導体レーザーからのレーザー光に基づく光ディスクからの反射光を最終的に
受光して検出し電気信号に変換するフォトダイオード等の光検出器、半導体レーザーから
のレーザー光を光ディスクの反射を経て光検出器まで導く回折格子やハーフミラーや対物
レンズ等の光学系、これらの各部品が取り付けられて駆動されるベース部材、より構成さ
れる。
【０００３】
ここで、ベース部材への半導体レーザーの取付けにあたっては、一般に、半導体レーザ
ーが先ずレーザーホルダに保持される。そして、半導体レーザーを保持したレーザーホル
ダがベース部材に直接又は間接的に取り付けられ、半導体レーザーの光軸調整によってそ
の取付け位置及び姿勢が定められた後、接着剤による接着によって固定される（例えば、
特許文献１、２参照）。
【０００４】
その取付け構造の従来技術の一例を図４〜図６に示す。図４は従来のレーザーホルダの
ベース部材への取付け構造を示す斜視図、図５はその取付け構造における分解斜視図、図
６はその取付け構造における側面図である。ここでの従来の取付け構造は、レーザーホル
ダがベース部材に間接的に取り付けられるものであって、図４〜図６に示すように、半導
体レーザー１を保持したレーザーホルダ２と、ベース部材３より一体に立設されレーザー
ホルダ２の取付け対象となる板状取付け部４と、に加え、レーザーホルダ２を支持する支
持部材５と、弾性変形可能なクリップ片１０と、を備えて成る。
【０００５】
レーザーホルダ２は、亜鉛等の金属製の成型品であって、中央に半導体レーザー１が保
持され、その半導体レーザー１から前方にレーザー光が出射される。また、レーザーホル
ダ２の上下各面からは、半導体レーザー１の光軸と直交する上下方向に凸軸２ａ、２ｂが
同軸上に突出している。更に、レーザーホルダ２の左右両側には、前後方向に貫通する接
着剤注入用の注入口２ｃ、２ｄが形成されている。なお、図中の符号１ａは半導体レーザ
ー１のリード端子である。
【０００６】
板状取付け部４を含むベース部材３は、寸法精度に優れた亜鉛等の金属製の成型品であ
る。但し、ポリフェニレンサルファイド（ＰＰＳ）等の樹脂製の成型品が適用される場合
もある。板状取付け部４の中央には、取り付けられた半導体レーザー１からのレーザー光
を出射させるためのレーザー出射口４ａが形成されている。
【０００７】
支持部材５は、リン青銅等の金属板より板金加工が施されて成るものであって、ベース
部材３の板状取付け部４に重ね合わされる基板部６と、この基板部６の上下各縁から互い
に対向するように後方へ突出した上突片部７、下突片部８と、を一体に有する。上突片部
７、下突片部８には、上下方向で同軸上に軸穴７ａ、８ａ（不図示）が形成されていて、
各軸穴７ａ、８ａにそれぞれレーザーホルダ２の各凸軸２ａ、２ｂが嵌め込まれ、これに
より、レーザーホルダ２が支持部材５の上突片部７及び下突片部８によって上下方向の軸
（ここでは各軸穴７ａ、８ａに対する各凸軸２ａ、２ｂ）を中心に揺動可能に支持される
。また、基板部６には、その中央に、支持したレーザーホルダ２の半導体レーザー１から
のレーザー光を通過させるためのレーザー通過穴６ａが形成され、そのレーザー通過穴６
ａの左右両側には、レーザーホルダ２の各注入口２ｃ、２ｄに対向して前後方向に貫通す
る接着剤受入れ用の受入れ穴６ｂ、６ｃが形成されている。
【０００８】
クリップ片１０は、リン青銅等の金属板より板金加工が施されて成るものであって、断
面コ字状である。
【０００９】
このような構成のもとでのレーザーホルダ２（支持部材５）のベース部材３（板状取付
け部４）への取付け手順について、引き続き説明する。レーザーホルダ２を支持した支持
部材５は、先ず、基板部６がベース部材３の板状取付け部４に重ね合わされた後、クリッ
プ片１０が基板部６及び板状取付け部４の上縁から上突片部７を跨ぐ左右両側のうちの一
側（ここでは左側）に挿し込まれる。これにより、基板部６及び板状取付け部４がクリッ
プ片１０の弾性復元力によって挟み込まれた状態となる。つまり、支持部材５がベース部
材３の板状取付け部４に対してスライド可能に仮止めされた状態となる。
【００１０】
続いて、互いに接触状態にあるクリップ片１０の先端部と板状取付け部４の前面とに紫
外線硬化性の接着剤が塗布され（図４及び図６中の符号Ｗ参照）、紫外線照射が所定時間
施される。これにより、クリップ片１０と板状取付け部４とが互いに固定される。このよ
うにクリップ片１０と板状取付け部４とを互いに接着固定する主な理由は、続く半導体レ
ーザー１の光軸調整や接着剤の注入の際に、クリップ片１０によって挟み込まれた状態に
ある支持部材５がクリップ片１０の不用意なズレに起因して板状取付け部４すなわちベー
ス部材３から脱落してしまうのを防止するためである。
【００１１】
その後、半導体レーザー１の光軸調整によって、ベース部材３の板状取付け部４に対す
る支持部材５の取付け位置と共に、支持部材５に対するレーザーホルダ２の姿勢が定めら
れる。その際、レーザーホルダ２の各注入口２ｃ、２ｄを通じて紫外線硬化性の接着剤が
注入され、レーザーホルダ２と支持部材５の基板部６との隙間や、支持部材５の基板部６
においてベース部材３の板状取付け部４に通じる受入れ穴６ｂ、６ｃにその接着剤が充填
される。そして、支持部材５の取付け位置、及びレーザーホルダ２の姿勢が定められた状
態のまま、紫外線照射が所定時間施され、これにより、レーザーホルダ２と、支持部材５
と、ベース部材３とが互いに固定されて完了する。
【００１２】
こうして、レーザーホルダ２が支持部材５を介在してベース部材３に間接的に取り付け
られることになる。
【特許文献１】特開２００３−１８７４６１号公報
【特許文献２】特開２００３−２２５４２号公報
【発明の開示】
【発明が解決しようとする課題】
【００１３】
しかし、上記した従来の取付け構造では、別部品としてのクリップ片１０を必要とする
ため、近年強く求められるコスト低減が著しく制約される。また、半導体レーザー１の光
軸調整を行う前にクリップ片１０とベース部材３の板状取付け部４とを互いに接着固定す
る必要があるため、その接着作業によって作業効率が阻害される。
【００１４】
そこで本発明は、上記の問題に鑑みてなされたものであり、半導体レーザーを保持した
レーザーホルダのベース部材への取付け構造に関して、コスト低減と共に作業効率の向上
が可能な取付け構造を提供することを目的とするものである。
【課題を解決するための手段】
【００１５】
上記目的を達成するため、本発明は、光ピックアップ装置における半導体レーザーを保
持したレーザーホルダのベース部材への取付け構造であって、前記レーザーホルダ及び前
記ベース部材が金属製で、前記レーザーホルダを支持する金属板より成る支持部材と、金
属板より成る弾性変形可能な断面コ字状のクリップ片と、を備える。前記支持部材は、前
記半導体レーザーからのレーザー光を通過させるためのレーザー通過穴が中央に形成され
た基板部と、前記基板部の上下各縁から互いに対向するように突出し、前記レーザーホル
ダを上下方向の軸を中心に揺動可能に支持する上突片部及び下突片部と、を一体に有して
いる。そして、前記基板部が前記ベース部材の板状取付け部に重ね合わされた後、前記ク
リップ片が前記基板部及び前記板状取付け部の上縁から前記上突片部を跨ぐ左右両側のう
ちの一側に挿し込まれて、前記基板部及び前記板状取付け部が前記クリップ片の弾性復元
力によって挟み込まれた状態となり、前記クリップ片と前記板状取付け部とが互いに紫外
線硬化性の接着剤によって固定され、前記半導体レーザーの光軸調整後、前記レーザーホ
ルダと、前記支持部材と、前記ベース部材とが互いに紫外線硬化性の接着剤によって固定
されるレーザーホルダのベース部材への取付け構造において、次の点を特徴とする。
【００１６】
前記クリップ片を排除するとともに、前記支持部材は、前記基板部と、前記上突片部及
び下突片部と、前記基板部の上縁から前記上突片部を跨ぐ左右両側で前記上突片部の突出
した側とは反対側に突出した後、下向き且つ前記基板部へ向けての内向きに折り曲げられ
、更にその先端部分が外向きに折り曲げられた弾性変形可能な折曲片部と、を一体に有し
ている。そして、前記基板部が前記板状取付け部に沿って前記下突片部より挿し込まれて
、前記板状取付け部が前記折曲片部と前記基板部との間で前記折曲片部の弾性復元力によ
って挟み込まれた状態となり、前記半導体レーザーの光軸調整後、前記レーザーホルダと
、前記支持部材と、前記ベース部材とが互いに紫外線硬化性の接着剤によって固定される
ようになっている。
【００１７】
このような構成にすると、レーザーホルダが支持部材を介在してベース部材に間接的に
取り付けられる場合、半導体レーザーの光軸調整を行う前のベース部材の板状取付け部に
対する支持部材のスライド可能な仮止めを、別部品を要することなく、支持部材と一体の
折曲片部による基板部との間での挟み込みによって達成される。また、その挟み込み状態
では、支持部材と一体の基板部がベース部材の板状取付け部と広範に接触していることか
ら、両者の間に大きな摩擦抵抗が生じ、続く半導体レーザーの光軸調整や接着剤の注入の
際に、支持部材が板状取付け部から脱落してしまうことはない。特に、折曲片部が上突片
部を跨ぐ左右両側に形成されているため、その各折曲片部によって板状取付け部を左右両
側から挟み込むことが可能になり、その結果、基板部と板状取付け部との広範な接触が安
定的に確保される。更に、折曲片部の先端部分が外向きに折り曲げられているため、支持
部材を板状取付け部に挿し込む際に、折曲片部の先端部分が板状取付け部と過剰に擦り合
うことはなく、その挿込みを円滑に行える。
【００１８】
また、上記目的を達成するために本発明は、光ピックアップ装置における半導体レーザ
ーを保持したレーザーホルダのベース部材への取付け構造において、前記レーザーホルダ
を支持する金属板より成る支持部材を備える。前記支持部材は、前記半導体レーザーから
のレーザー光を通過させるためのレーザー通過穴が中央に形成された基板部と、前記基板
部の上下各縁から互いに対向するように突出し、前記レーザーホルダを上下方向の軸を中
心に揺動可能に支持する上突片部及び下突片部と、前記基板部の上縁から前記上突片部の
突出した側とは反対側に突出した後、下向き且つ前記基板部へ向けての内向きに折り曲げ
られた弾性変形可能な折曲片部と、を一体に有している。そして、前記基板部が前記ベー
ス部材の板状取付け部に沿って前記下突片部より挿し込まれて、前記板状取付け部が前記
折曲片部と前記基板部との間で前記折曲片部の弾性復元力によって挟み込まれた状態とな
り、前記半導体レーザーの光軸調整後、前記レーザーホルダと、前記支持部材と、前記ベ
ース部材とが互いに接着剤によって固定されるようになっている。
【００１９】
このような構成にすると、レーザーホルダが支持部材を介在してベース部材に間接的に
取り付けられる場合、半導体レーザーの光軸調整を行う前のベース部材の板状取付け部に
対する支持部材のスライド可能な仮止めを、別部品を要することなく、支持部材と一体の
折曲片部による基板部との間での挟み込みによって達成される。また、その挟み込み状態
では、支持部材と一体の基板部がベース部材の板状取付け部と広範に接触していることか
ら、両者の間に大きな摩擦抵抗が生じ、続く半導体レーザーの光軸調整や接着剤の注入の
際に、支持部材が板状取付け部から脱落してしまうことはない。
【００２０】
ここで、基板部と板状取付け部との広範な接触を安定的に確保する観点から、前記折曲
片部が前記上突片部を跨ぐ左右両側に形成されていることが好ましい。
【００２１】
また、板状取付け部に対しての支持部材の挿込みを円滑に行えるようにする目的で、更
に前記折曲片部の先端部分が外向きに折り曲げられているとよい。
【００２２】
また、実用的には、前記接着剤が紫外線硬化性の接着剤であることが好ましい。
【００２３】
また、実用性を踏まえると、前記レーザーホルダ及び前記ベース部材が金属製であるこ
とが好ましい。
【発明の効果】
【００２４】
本発明のレーザーホルダのベース部材への取付け構造によれば、半導体レーザーの光軸
調整を行う前のベース部材の板状取付け部に対する支持部材のスライド可能な仮止めを、
別部品を要することなく、支持部材と一体の折曲片部による基板部との間での挟み込みに
よって達成されるため、部品点数の削減に伴うコスト低減が実現できるし、作業工数の削
減に伴う作業効率の向上が実現できる。
【発明を実施するための最良の形態】
【００２５】
以下に、本発明のレーザーホルダのベース部材への取付け構造の一実施形態について、
図面を参照しながら詳述する。図１は本発明の一実施形態であるレーザーホルダのベース
部材への取付け構造を示す斜視図、図２はその取付け構造における分解斜視図、図３はそ
の取付け構造における側面図である。なお、これらの図中で、図４〜図６と同じ名称で同
じ機能を果たす部分には同一の符号を付し、重複する説明は適宜省略する。
【００２６】
本実施形態での取付け構造は、図４〜図６に示す従来の取付け構造と同じくレーザーホ
ルダがベース部材に間接的に取り付けられるものであって、図１〜図３に示すように、半
導体レーザー１を保持したレーザーホルダ２と、ベース部材３より一体に立設されレーザ
ーホルダ２の取付け対象となる板状取付け部４と、に加え、レーザーホルダ２を支持する
支持部材５を備えて成る。従って、図４〜図６に示すようなクリップ片１０を不要とする
ものである。
【００２７】
ここで支持部材５は、図４〜図６に示すものと同じくリン青銅等の金属板より板金加工
が施されて成るものであって、図１〜図３に示すように、基板部６と、上突片部７及び下
突片部８と、を一体に有する。但し、本実施形態での支持部材５は、それらに加え、基板
部６の上縁から上突片部７を跨ぐ左右両側で上突片部７の突出した側とは反対側に突出し
た後、下向き且つ基板部６へ向けての内向きに折り曲げられた弾性変形可能な折曲片部９
、９をも一体に有する。また、その各折曲片部９、９の先端部分９ａ、９ａは、更に基板
部６から離れる外向きに折り曲げられている。
【００２８】
このような構成のもとでのレーザーホルダ２（支持部材５）のベース部材３（板状取付
け部４）への取付け手順について、引き続き説明する。レーザーホルダ２を支持した支持
部材５は、基板部６がベース部材３の板状取付け部４に重ね合わされるように板状取付け
部４に沿って下突片部８より挿入され、板状取付け部４の上縁から各折曲片部９、９が挿
し込まれる。これにより、板状取付け部４が各折曲片部９、９と基板部６との間で各折曲
片部９、９の弾性復元力によって挟み込まれた状態となる。つまり、支持部材５がベース
部材３の板状取付け部４に対してスライド可能に仮止めされた状態となる。
【００２９】
その後、半導体レーザー１の光軸調整によって、ベース部材３の板状取付け部４に対す
る支持部材５の取付け位置と共に、支持部材５に対するレーザーホルダ２の姿勢が定めら
れる。その際、レーザーホルダ２の各注入口２ｃ、２ｄを通じて紫外線硬化性の接着剤が
注入され、レーザーホルダ２と支持部材５の基板部６との隙間や、支持部材５の基板部６
においてベース部材３の板状取付け部４に通じる受入れ穴６ｂ、６ｃにその接着剤が充填
される。そして、支持部材５の取付け位置、及びレーザーホルダ２の姿勢が定められた状
態のまま、紫外線照射が所定時間施され、これにより、レーザーホルダ２と、支持部材５
と、ベース部材３とが互いに固定されて完了する。
【００３０】
こうして、レーザーホルダ２が支持部材５を介在してベース部材３に間接的に取り付け
られることになる。
【００３１】
このようにすると、レーザーホルダ２が支持部材５を介在してベース部材３に間接的に
取り付けられる場合、半導体レーザー１の光軸調整を行う前のベース部材３の板状取付け
部４に対する支持部材５のスライド可能な仮止めを、従来のクリップ片１０のような別部
品を一切要することなく、支持部材５と一体の折曲片部９による基板部６との間での挟み
込みによって達成される。従って、従来と比較して部品点数が削減されるため、これに伴
ってコスト低減が実現できる。
【００３２】
また、その挟み込み状態では、支持部材５と一体の基板部６がベース部材３の板状取付
け部４と広範に接触していることから、両者の間に大きな摩擦抵抗が生じ、続く半導体レ
ーザー１の光軸調整や接着剤の注入の際に、支持部材５が板状取付け部４から脱落してし
まうことはない。従って、従来と比較して光軸調整前の接着作業は一切不要となるため、
作業工数が削減されて作業効率の向上が実現できる。特に本実施形態では、折曲片部９が
上突片部７を跨ぐ左右両側に形成されているため、その各折曲片部９、９によって板状取
付け部４を左右両側から挟み込むことが可能になり、その結果、基板部６と板状取付け部
４との広範な接触が安定的に確保され、光軸調整や接着剤注入の際の支持部材５の脱落防
止の確実性が増す。その上、実際に光ピックアップ装置を使用しているとき、半導体レー
ザー１から生じた不要輻射が、共に金属製のレーザーホルダ２及び支持部材５を伝達して
板状取付け部４すなわちベース部材３へ十分に逃がされることから、不要輻射の減少に有
利である。
【００３３】
更に本実施形態では、折曲片部９の先端部分９ａが外向きに折り曲げられているため、
支持部材５を板状取付け部４に挿し込む際に、その先端部分９ａが板状取付け部４と過剰
に擦り合うことはなく、その挿込みを円滑に行える。
【００３４】
その他本発明は上記の実施形態に限定されず、本発明の趣旨を逸脱しない範囲で、種々
の変更が可能である。例えば、上記の実施形態では、折曲片部９が上突片部７を跨ぐ左右
両側に形成されているが、左右両側のうちの一側（左側又は右側）のみに形成されていて
も構わない。１つの折曲片部９と基板部６との間で板状取付け部４を挟み込んだ状態にお
いても、基板部６が板状取付け部４と一応は広範に接触しているため、光軸調整や接着剤
注入の際の支持部材５の脱落防止が期待できるからである。
【産業上の利用可能性】
【００３５】
本発明は、光ディスクに対して情報の再生や記録を行うための光ピックアップ装置に有
用である。
【図面の簡単な説明】
【００３６】
【図１】本発明の一実施形態であるレーザーホルダのベース部材への取付け構造を示す斜視図である。
【図２】図１の取付け構造における分解斜視図である。
【図３】図１の取付け構造における側面図である。
【図４】従来のレーザーホルダのベース部材への取付け構造を示す斜視図である。
【図５】図４の取付け構造における分解斜視図である。
【図６】図４の取付け構造における側面図である。
【符号の説明】
【００３７】
１    半導体レーザー
１ａ    リード端子
２    レーザーホルダ
２ａ、２ｂ    凸軸
２ｃ、２ｄ    接着剤注入口
３    ベース部材
４    板状取付け部
４ａ    レーザー出射口
５    支持部材
６    基板部
６ａ    レーザー通過穴
６ｂ、６ｃ    接着剤受入れ穴
７    上突片部
７ａ    軸穴
８    下突片部
８ａ    軸穴
９    折曲片部
９ａ    折曲片部の先端部分
【図１】
2006236542.tif 000003
【図２】
2006236542.tif 000004
【図３】
2006236542.tif 000005
【図４】
2006236542.tif 000006
【図５】
2006236542.tif 000007
【図６】
2006236542.tif 000008